(57)【要約】  【課題】比較的製造が容易な背見出し構造及びそれを備えたファイル・バインダを提供すること。  【解決手段】背見出し構造は、透明及び／又は半透明の領域を有する背見出し本体２０と、前記背見出し本体の表表紙側及び裏表紙側の端縁の屈曲部２２ａ、２２ｂを介して連設され、背見出し本体の内面側において中央側に向けて延び背見出し本体と対向する接着部２４、２６とを備え、前記背見出し本体２０は、背表紙の表表紙及び裏表紙との境界１４ａ、１４ｂ内の幅と同じ又は狭い幅であって、前記接着部２４、２６は、背表紙に接着され、前記背表紙本体２０及び接着部２４、２６は、背表紙と背見出し本体との間において、背見出し本体から接着部に至る背見出し片４０が、背見出し本体、接着部及び背表紙の内少なくとも一つに密着するように、背表紙とともに曲げられている。【選択図】図１
2008168463.tif 000002
【特許請求の範囲】
【請求項１】
透明及び／又は半透明の領域を有する背見出し本体と、
前記背見出し本体の表表紙側及び裏表紙側の端縁の屈曲部を介して連設され、背見出し本体の内面側において中央側に向けて延び背見出し本体と対向する接着部とを備え、
前記背見出し本体は、背表紙の表表紙及び裏表紙との境界内の幅と同じ又は狭い幅であって、
前記接着部は、背表紙に接着され、
前記背表紙本体及び接着部は、背表紙と背見出し本体との間において、背見出し本体から接着部に至る背見出し片が、背見出し本体、接着部及び背表紙の内少なくとも一つに密着するように、背表紙とともに曲げられた、背見出し構造。
【請求項２】
前記接着部は、背表紙の外表面と溶着された、請求項１に記載の背見出し構造。
【請求項３】
前記背見出し本体及び接着部は、背表紙とともに外側に向けて中央部が膨らむように湾曲された、請求項１又は２に記載の背見出し構造。
【請求項４】
前記背見出し片は、背見出し本体の両側縁に形成された接着部及び屈曲部に至る幅を備え、
背見出し本体、接着部及び背表紙とともに曲げられたときに突っ張って、背見出し本体又は接着部に密着する腰の強い紙片である、請求項１ないし３のいずれかに記載の背見出し構造。
【請求項５】
背見出し本体の内面側において接着部全体に亘って背見出し紙片が挿入され、
背表紙の外表面及び接着部の背表紙に対向する面が溶着されて背表紙と接着部とが接着された、請求項１ないし４のいずれかに記載の背見出し構造。
【請求項６】
前記請求項１ないし５の背見出し構造を備えた、ファイル・バインダ。
【請求項７】
請求項１ないし５の背見出し構造を備え、透明ポケットを有するシートが背表紙の内面に溶着された、ファイル・バインダ。
【発明の詳細な説明】
【技術分野】
【０００１】
この発明は、背見出し構造及びそれを備えたファイル・バインダに関し、特に、例えば透明ポケットを有するシートを備えたファイル・バインダの背見出し構造に関する。
【背景技術】
【０００２】
この発明の背景となるファイルの背見出しについては、バインダの表紙の背の外側へ下端に切曲した受け溝を有する係止座金を固着し、該係止座金の両側縁へ透明合成樹脂製保持板の両側縁の折曲縁を上から滑り込ませて嵌着させることを特徴とするバインダ等の背見出し取付け部がある（特許文献１参照）。
その他種々の背見出し構造が提案されている（特許文献２参照）。
【０００３】
【特許文献１】実開昭５２−１５１８２４号公報
【特許文献２】実開平２−５４５７８号公報
【発明の開示】
【発明が解決しようとする課題】
【０００４】
上述のような背見出しは、必ずしも製造が容易とは言えず、製造に手間がかかる。そこで、比較的製造が容易で、表紙の製造時に、例えば連続して比較的容易に背見出し紙を挿入された背見出し構造のファイル・バインダが望まれている。
【０００５】
それゆえに、この発明の主たる目的は、比較的製造が容易な背見出し構造及びそれを備えたファイル・バインダを提供することである。
【課題を解決するための手段】
【０００６】
この発明にかかる背見出し構造は、透明及び／又は半透明の領域を有する背見出し本体と、前記背見出し本体の表表紙側及び裏表紙側の端縁の屈曲部を介して連設され、背見出し本体の内面側において中央側に向けて延び背見出し本体と対向する接着部とを備え、前記背見出し本体は、背表紙の表表紙及び裏表紙との境界内の幅と同じ又は狭い幅であって、
前記接着部は、背表紙に接着され、前記背表紙本体及び接着部は、背表紙と背見出し本体との間において、背見出し本体から接着部に至る背見出し片が、背見出し本体、接着部及び背表紙の内少なくとも一つに密着するように、背表紙とともに曲げられた、背見出し構造である。
この発明の請求項２にかかる背見出し構造は、前記接着部は、背表紙の外表面と溶着された、請求項１に記載の背見出し構造である。
この発明の請求項３にかかる背見出し構造は、前記背見出し本体及び接着部は、背表紙とともに外側に向けて中央部が膨らむように湾曲された、請求項１又は２に記載の背見出し構造である。
この発明の請求項４にかかる背見出し構造は、前記背見出し片は、背見出し本体の両側縁に形成された接着部及び屈曲部に至る幅を備え、背見出し本体、接着部及び背表紙とともに曲げられたときに突っ張って、背見出し本体又は接着部に密着する腰の強い紙片である、請求項１ないし３のいずれかに記載の背見出し構造である。
この発明の請求項５にかかる背見出し構造は、背見出し本体の内面側において接着部全体に亘って背見出し紙片が挿入され、背表紙の外表面及び接着部の背表紙に対向する面が溶着されて背表紙と接着部とが接着された、請求項１ないし４のいずれかに記載の背見出し構造である。
この発明の請求項６にかかるファイル・バインダは、前記請求項１ないし５の背見出し構造を備えた、ファイル・バインダである。
この発明の請求項７にかかるファイル・バインダは、請求項１ないし５の背見出し構造を備え、透明ポケットを有するシートが背表紙の内面に溶着された、ファイル・バインダである。
【発明の効果】
【０００７】
この発明によれば、透明及び／又は半透明の領域を有する背見出し本体と、前記背見出し本体の表表紙側及び裏表紙側の端縁の屈曲部を介して連設され、背見出し本体の内面側において中央側に向けて延び背見出し本体と対向する接着部とを備え、前記背見出し本体は、背表紙の表表紙及び裏表紙との境界内の幅と同じ又は狭い幅であって、前記接着部は、背表紙に接着され、前記背表紙本体及び接着部は、背表紙と背見出し本体との間において、背見出し本体から接着部に至る背見出し片が、背見出し本体、接着部及び背表紙の内少なくとも一つに密着するように、背表紙とともに曲げられたので、背表紙と背見出し本体との間に、背見出し本体から接着部に至る背見出し片が挿入された状態において、背見出し本体を接着部により背表紙に接着することができ、しかも、背見出し本体及び接着部は背表紙とともに曲げられているので、背見出し片が抜け落ちることなく、保持される。
請求項２の発明によれば、前記接着部は、背表紙の外表面と溶着されているので、強固に背見出し本体を背表紙に固着できる。
請求項３の発明によれば、前記背見出し本体及び接着部は、背表紙とともに外側に向けて中央部が膨らむように湾曲されているので、背見出し片が抜け落ちることなく、保持される。
請求項４の発明によれば、前記背見出し片は、背見出し本体の両側縁に形成された接着部及び屈曲部に至る幅を備え、背見出し本体、接着部及び背表紙とともに曲げられたときに突っ張って、背見出し本体又は接着部に密着する腰の強い紙片であるので、背見出し片が抜け落ちることなく、保持される。
請求項５の発明によれば、背見出し本体の内面側において接着部全体に亘って背見出し紙片が挿入され、背表紙の外表面及び接着部の背表紙に対向する面が溶着されて背表紙と接着部とが接着されているので、能率的に背見出し本体を背表紙に溶着でき、生産効率を上げることができる。
請求項６の発明によれば、前記請求項１ないし５の背見出し構造を備えた、ファイル・バインダであるので、背表紙と背見出し本体との間に、背見出し本体から接着部に至る背見出し片が挿入された状態において、背見出し本体を接着部により背表紙に接着することができ、しかも、背見出し本体及び接着部は背表紙とともに曲げられているので、背見出し片が抜け落ちることなく、保持される。
請求項７の発明によれば、請求項１ないし５の背見出し構造を備え、透明ポケットを有するシートが背表紙の内面に溶着されているので、背表紙とともに効率的に曲げることができる。
【０００８】
この発明の上述の目的、その他の目的、特徴および利点は、図面を参照して行う以下の発明を実施するための最良の形態の説明から一層明らかとなろう。
【発明を実施するための最良の形態】
【０００９】
図１は、この発明の一実施の形態であるファイルの横断面図解図であり、図２は、図１図示ファイルの製造方法を示す図解図であり、（Ａ）は、背見出しシートの斜視図解図であり、（Ｂ）は、背見出しシートを折り曲げた状態を示す斜視図解図であり、（Ｃ）は、背見出し紙を挿入する状態を示す斜視図解図であり、図３は、背見出し本体の図解図であり、（Ａ）は、断面図解図であり、（Ｂ）は、背面図解図であり、図４は、図１図示ファイルの製造方法を示す図で、背見出しシートと表紙との溶着方法を示す斜視図解図であり、図５ないし図６は、図１図示ファイルの製造方法を示す断面図解図であり、図７ないし図８は、図１図示背見出し構造の変形例たる背見出し構造を示す断面図解図であり、図９は、図３図示背見出し本体の変形例たる背見出し本体の斜視図解図である。
このファイル１０は、背表紙１２と、背表紙１２の一方側端縁の境界１４を介して連設された表表紙１６と、背表紙１２の幅方向における他方側端縁の境界１４ｂを介して連設された裏表紙１８とを備える。
【００１０】
背表紙１２の外表面すなわち外側面１２ａは、透明及び／又は半透明の領域を有する背見出し本体２０と、前記背見出し本体２０に表表紙１６側端縁の屈曲部２２ａを介して連設された接着部２４と、裏表紙１８側の端縁の屈曲部２２ｂを介して連設された接着部２６とを備えた、背見出し構造を有する。
接着部２４及び接着部２６は、背見出し本体２０と同じ長さを有する縦長長方形で、それぞれ背見出し本体２０の四分の一程度の幅を備え、背見出し本体２０の内面側において中央側に向けて延び、背見出し本体２０と対向する。
左側の接着部２４の自由端縁と右側の接着部２６の自由端縁とは向き合い、本体２０と接着部２４との対向面間及び本体２０と接着部２６との対向面間には、背見出し片４０を挿入するための隙間２８及び隙間３０が形成される。
【００１１】
背見出し本体２０は、縦長方形状で、背表紙１２の表表紙１６との境界１４ａ及び背表紙１２の裏表紙１８との境界１４ｂの間の幅と同じか又はわずかに狭い幅を備えている。
【００１２】
背見出し本体２０と接着部２４及び接着部２６とは、例えばポリプロピレンなどのような熱可塑性樹脂シート等で一体に形成され、屈曲部２２ａ及び屈曲部２２ｂにおいて背見出し本体２０の内面側において中央側に向けて折り曲げられている。
そして、背見出し本体２０は、背表紙１２を構成する、例えばポリプロピレン等の背表紙１２の外表面の最適な位置に、一方の接着部２４及び他方の接着部２６をもって溶着されている。
【００１３】
背見出し本体２０と接着部２４及び接着部２６は、背表紙１２と背見出し本体２０との間において、背見出し本体２０から接着部２４及び接着部２６に至る背見出し片４０が、背見出し本体２０、接着部２４，２６及び背表紙１２のうち少なくとも一つに密着するように、前記背表紙１２とともに湾曲させられている。
【００１４】
特に、この実施の形態の背見出し構造は、背見出し本体２０及び接着部２４，２６は、背表紙１２とともに外側に向けて中央部が膨らむように湾曲されている。
そして、背見出し片４０は、腰の強い紙片からなり、背見出し本体２０の両側縁に形成された接着部２４及び接着部２６並びに屈曲部２２ａ及び屈曲部２２ｂに至る幅を備え、背見出し本体２０、接着部２４，２６及び背表紙１２とともに曲げられたとき、突っ張って背見出し本体２０又は接着部２２，２６に密着する。
したがって、背見出し本体２０と背見出し本体２０の下縁と背表紙１２とが接着されずに開口していても、背見出し片４０は、背見出し本体２０と背表紙１２との間から滑り落ちることはない。
【００１５】
次に、前記背見出し構造の製造方法について、主として図２ないし図６に基づいて説明する。
まず、ポリプロピレンシートを準備し、トムソン加工で、縦長長方形の背見出し本体２０と、接着部２４及び接着部２６とが屈曲部２２ａ及び屈曲部２２ｂを介して連設された背見出しシート５０を成形する（図２（Ａ）参照）。
【００１６】
次に、背見出しシート５０の長手方向に向けて延びる屈曲部２２ａ及び屈曲２２ｂをそれぞれ平行になるように、屈曲部２２ａ及び屈曲部２２ｂを形成される部位を加熱しながら接着部２４及び接着部２６を構成する領域を１８０度内側に折り曲げ、背見出し本体２０と接着部２４及び接着部２６とが対向するように成形する（図２（Ｂ）、図３（Ａ）（Ｂ）参照）。
【００１７】
次に、屈曲部２２ａ及び屈曲部２２ｂとの間の幅に近い幅を有する厚紙等からなる見出し片４０を、背見出し本体２０の内面側で接着部２４及び接着部２６との間に形成された隙間２８，３０に挿入する（図２（Ｃ）参照）。
【００１８】
次に、所定形状に成形された背表紙１２と表表紙１６及び裏表紙１８が連設されてなる表紙シート６０を準備し、背表紙１２と表表紙１６との境界１４ａと背表紙１２と裏表紙１８との境界１４ｂとの間において、所定の位置に前記背見出しシート５０からなる接着部２４及び接着部２６を背見出し片４０を入れた状態で、接し合わせる。
そして、表紙シート６０の内側、すなわち背見出しシート５０が接し合わされた面とは反対側の面より、例えば超音波ホーン等により、表紙シート６０の接着部２４及び接着部２６が接し合わされた表紙シート６０の接着領域に溶着加工を施し、表紙シート６０の外表面接着領域と接着部２４及び接着部２６の外表面とを溶融させて接着する（図４参照）。
【００１９】
次に、透明ポケットを有するシート状の透明ポケット片７０を複数枚重ね合わせたものを準備し、背表紙１２の内側面１２ｂに溶着する透明ポケット片７０の端縁７０ａを加熱して溶融させるとともに背表紙１２の内側面１２ｂを加熱して溶融させ、溶融した透明ポケット片７０の端縁７０ａと背表紙１２の内側面１２ｂとを接し合わせて、透明ポケット片７０を背表紙１２の内側に溶着する（図５参照）。
この段階において、背表紙１２は、背表紙１２の内側面１２ｂが溶融し外側面１２ａと収縮率に差が生じて、溶着された面とは反対側方向に向けて中央部が膨らむように湾曲する。更に、平面状であった背表紙１２と背見出し本体２０と接着部２４及び２６とを、背表紙１２の外側面１２ａ、すなわち透明ポケット片７０を溶着された面とは反対側方向に向けて中央部が膨らむように湾曲させて形を整える（図６参照）。
【００２０】
このようにすれば、背見出し構造を備えたファイル１０を、一連の製造工程において連続して比較的容易に製造することができる。
【００２１】
なお、この発明は、前記実施の形態に限らず、この発明の思想に基づき種々変更することが可能である。
例えば、図７に示すように、背見出し本体２０と接着部２４及び接着部２６と背表紙１２と背見出し片４０とを内側に、すなわち透明ポケット片７０が溶着された側に向けて中央部が凹むように湾曲させても良い。
また、図８に示すように、背表紙１２と表表紙１６との境界１４ａ及び背表紙１２と裏表紙部１８との境界１４ｂを面取りしたような構造としても良い。
更に、背見出し本体２０の接着部２４及び接着部２６は、図９に示すように、背表紙１２に接着される側の表面に、小さな半球状等の凸部２４ａ及び凸部２６ａを突設し、表紙シート６０の接着部２４及び接着部２６が接し合わされた表紙シート６０の接着領域に溶着加工を施し、表紙シート６０の外表面接着領域と接着部２４及び接着部２６の外表面とを溶融させて接着するときに、例えば超音波ホーン等により凸部２４ａ及び凸部２６ａを溶融させて、背表紙１２の外表面に接着させてもよい。
【産業上の利用可能性】
【００２２】
この発明にかかる背見出し構造は、たとえばファイル・バインダのほか、種々の用品、書籍、帳簿などの背見出し構造として採択できる。
【図面の簡単な説明】
【００２３】
【図１】この発明の一実施の形態である綴じ具の斜視図である。
【図２】図１図示ファイルの製造方法を示す図解図であり、（Ａ）は、背見出しシー    トの斜視図解図であり、（Ｂ）は、背見出しシートを折り曲げた状態を示す斜視図解図であり、（Ｃ）は、背見出し紙を挿入する状態を示す斜視図解図である。
【図３】背見出し本体の図解図であり、（Ａ）は、断面図解図であり、（Ｂ）は、背    面図解図である。
【図４】図１図示ファイルの製造方法を示す図で、背見出しシートと表紙との溶着方    法を示す斜視図解図である。
【図５】図１図示ファイルの製造方法を示す断面図解図である。
【図６】図１図示ファイルの製造方法を示す断面図解図である。
【図７】図１図示背見出し構造の変形例たる背見出し構造を示す断面図解図である。
【図８】図１図示背見出し構造の変形例たる背見出し構造を示す断面図解図である。
【図９】図３図示背見出し本体の変形例たる背見出し本体の図解図であり、（Ａ）は、断面図解図であり、（Ｂ）は、斜視図解図である。
【符号の説明】
【００２４】
１０  ファイル
１２  背表紙
１２ａ  外側面
１２ｂ  内側面
１４ａ，１４ｂ  境界
１６  表表紙
１８  裏表紙
２０  背見出し本体
２２ａ，２２ｂ  屈曲部
２４，２６  接着部
２４ａ，２６ａ  凸部
２８，３０  隙間
４０  背見出し片
５０  背見出しシート
６０  表紙シート
７０  透明ポケット片
７０ａ  透明ポケット片の端縁
【図１】
2008168463.tif 000003
【図２】
2008168463.tif 000004
【図３】
2008168463.tif 000005
【図４】
2008168463.tif 000006
【図５】
2008168463.tif 000007
【図６】
2008168463.tif 000008
【図７】
2008168463.tif 000009
【図８】
2008168463.tif 000010
【図９】
2008168463.tif 000011
【手続補正書】
【提出日】平成19年1月10日(2007.1.10)
【手続補正１】
【補正対象書類名】明細書
【補正対象項目名】０００９
【補正方法】変更
【補正の内容】
【０００９】
図１は、この発明の一実施の形態であるファイルの斜視図解図であり、図２は、図１図示ファイルの製造方法を示す図解図で、（Ａ）は、背見出しシートの斜視図解図であり、（Ｂ）は、背見出しシートを折り曲げた状態を示す斜視図解図であり、（Ｃ）は、背見出し紙を挿入する状態を示す斜視図解図であり、図３は、背見出し本体の図解図で、（Ａ）は、断面図解図であり、（Ｂ）は、背面図解図であり、図４は、図１図示ファイルの製造方法を示す図で、背見出しシートと表紙との溶着方法を示す斜視図解図であり、図５ないし図６は、図１図示ファイルの製造方法を示す断面図解図であり、図７ないし図８は、図１図示背見出し構造の変形例たる背見出し構造を示す断面図解図であり、図９は、図３図示背見出し本体の変形例たる背見出し本体の斜視図解図である。
このファイル１０は、背表紙１２と、背表紙１２の一方側端縁の境界１４を介して連設された表表紙１６と、背表紙１２の幅方向における他方側端縁の境界１４ｂを介して連設された裏表紙１８とを備える。
【手続補正２】
【補正対象書類名】明細書
【補正対象項目名】００２３
【補正方法】変更
【補正の内容】
【００２３】
【図１】この発明の一実施の形態であるファイルの斜視図解図である。
【図２】図１図示ファイルの製造方法を示す図解図であり、（Ａ）は、背見出しシートの斜視図解図であり、（Ｂ）は、背見出しシートを折り曲げた状態を示す斜視図解図であり、（Ｃ）は、背見出し紙を挿入する状態を示す斜視図解図である。
【図３】背見出し本体の図解図であり、（Ａ）は、断面図解図であり、（Ｂ）は、背面図解図である。
【図４】図１図示ファイルの製造方法を示す図で、背見出しシートと表紙との溶着方法を示す斜視図解図である。
【図５】図１図示ファイルの製造方法を示す断面図解図である。
【図６】図１図示ファイルの製造方法を示す断面図解図である。
【図７】図１図示背見出し構造の変形例たる背見出し構造を示す断面図解図である。
【図８】図１図示背見出し構造の変形例たる背見出し構造を示す断面図解図である。
【図９】図３図示背見出し本体の変形例たる背見出し本体の図解図であり、（Ａ）は、断面図解図であり、（Ｂ）は、斜視図解図である。